(57)【特許請求の範囲】
【請求項１】
ロッド棒の先端に装着される直線部と、
ロッド棒の形状に対応して係合し、直線部の一端から角度を異ならせて形成される湾曲部と、
が樹脂により形成された電気機器収納用箱のロッド棒用キャップ。
【請求項２】
前記湾曲部の側面に開口部を備えた請求項１に記載の電気機器収納用箱のロッド棒用キャップ。
【請求項３】
前記直線部は筒状に形成され、その一端にロッド棒を挿入するために開口した挿入部を備え、
前記挿入部の開口方向に形成された挿入空間に、前記開口部が形成された請求項２に記載の電気機器収納用箱のロッド棒用キャップ。
【請求項４】
前記湾曲部は、開口部を形成する略半筒状に形成された半筒部と、半筒部から開口部方向に突出した突出部を備える請求項３に記載の電気機器収納用箱のロッド棒用キャップ。
【請求項５】
前記直線部の他端を一方向に傾斜させて形成した傾斜部とした請求項１乃至４の何れかに記載の電気機器収納用箱のロッド棒用キャップ。
【発明の詳細な説明】
【技術分野】
【０００１】
本発明は、電気機器収納用箱に備えられるロッド棒に装着する部材に関するものである。
【背景技術】
【０００２】
従来から、各種電気機器を収納するため、電気機器収納用箱が用いられている。この電気機器収納用箱に備えられた扉は、鎖錠されることにより閉じた状態が維持される。鎖錠する構成としては、特許文献１に記載されているように、上下方向に移動可能なロッド棒を利用するものが知られている。このロッド棒は一端側がリンク機構に接続されるとともに、他端側は支持部材により支持可能となっている。この電気機器収納用箱は筐体の枠と、ロッド棒の先端とを接触させることで鎖錠を可能としている。
【０００３】
ところで、ロッド棒を上下方向に移動させると、ロッド棒が支持部材や枠に接触することで大きな摩擦が生じることがある。このため、ロッド棒の操作に負担がかかったり、不快な擦れ音を発したりすることがあった。また、筐体の枠とロッド棒が擦れることで、筐体に傷がついて塗装が剥がれることもあった。支持部材とロッド棒との間で生じる問題を解決するため、特許文献１に記載の技術においては、スリーブを用いることが記載されている。
【先行技術文献】
【特許文献】
【０００４】
【特許文献１】特開２００２−１５２９１７号公報
【０００５】
しかしながら、特許文献１に記載の構造は、スリーブを支持部材に取り付けるものである。したがって、筐体の枠とロッド棒との間で生じる問題を解決するには別途ローラを設けることなどが必要となる。このため、摩擦を抑制するための構造が複雑となったり、部品点数が多くなったりすることがあった。
【発明の概要】
【発明が解決しようとする課題】
【０００６】
本発明の目的は、比較的簡単な構造で、ロッド棒が接触移動する際に生じる摩擦を抑制することである。
【課題を解決するための手段】
【０００７】
上記課題を解決するため、次のような手段を採用する。第一の手段は、ロッド棒の先端に装着される直線部と、ロッド棒の形状に対応して係合し、直線部の一端から角度を異ならせて形成される湾曲部と、が樹脂により形成された電気機器収納用箱のロッド棒用キャップとする。
【０００８】
第一の手段において、前記湾曲部の側面に開口部を備える構成とする第二の手段が好ましい。
【０００９】
第二の手段において、前記直線部は筒状に形成され、その一端にロッド棒を挿入するために開口した挿入部を備え、前記挿入部の開口方向に形成された挿入空間に、前記開口部が形成された構成とする第三の手段が好ましい。
【００１０】
第三の手段において、前記湾曲部は、開口部を形成する略半筒状に形成された半筒部と、半筒部から開口部方向に突出した突出部を備える構成とする第四の手段が好ましい。
【００１１】
第一乃至第四の何れかの手段において、前記直線部は、他端を一方向に傾斜させて形成した傾斜部とした第五の手段が好ましい。
【発明の効果】
【００１２】
第一の手段では、ロッド棒の先端に装着される直線部と、ロッド棒の形状に対応して係合し、直線部の一端から角度を異ならせて形成される湾曲部と、が樹脂により形成されてロッド棒用キャップが構成されている。したがって、比較的簡単な構造で筐体や支持部材との大きな摩擦を抑制することが可能となる。更には、このような形態のキャップであると、ロッド棒が移動する際にキャップと枠などとの間に力がかけられても、ロッド棒からキャップが脱落することが抑制される。また、部品点数を抑制することが可能となる。
【００１３】
第二の手段では、前記湾曲部の側面に開口部を備えている。したがって、湾曲部をロッド棒に係合させることが容易となる。
【００１４】
第三の手段では、前記直線部は、筒状に形成され、一端にロッド棒を挿入するために開口した挿入部を備えている。また、前記開口部は、挿入部の開口方向に形成された挿入空間に形成されている。したがって、ロッド棒に対してキャップを装着することが容易となる。
【００１５】
第四の手段では、前記湾曲部は、開口部を形成する略半筒状に形成された半筒部と、半筒部から開口部方向に突出した突出部を備える構成となっている。したがって、キャップを一部材で形成することが可能となる。また、突出部によりキャップをロッド部に固定することが可能となる。
【００１６】
第五の手段では、前記直線部は、他端を一方向に傾斜させて形成した傾斜部が形成されている。したがって、広い範囲でロッド棒を鎖錠位置まで案内することが可能となる。また、ロッド棒の先端を曲げて形成しなくとも、ロッド棒を容易に鎖錠位置まで案内することが可能となる。
【図面の簡単な説明】
【００１７】
【図１】ロッド棒の先端に第一の実施の形態のキャップが取り付けられた電気機器収納用箱の斜視図である。
【図２】図１におけるＩＩ−ＩＩ断面を示した断面図である。
【図３】図１におけるキャップ周りを拡大した部分拡大図である。
【図４】ロッド棒の先端に第一の実施の形態のキャップが取り付けられている状態を示した側面図である。
【図５】第一の実施の形態のキャップの斜視図である。
【図６】第一の実施の形態のキャップをロッド棒に取り付ける前の状態を側方から見た図である。
【図７】第一の実施の形態のキャップを直線的に動かすことでロッド棒にかぶせた状態を側方から見た図である。
【図８】第二の実施の形態のキャップをロッド棒に装着する直前の状態を示した斜視図である。
【図９】第二の実施の形態のキャップをロッド棒に装着した状態を示した斜視図である。
【発明を実施するための形態】
【００１８】
以下に発明を実施するための形態を示す。図１はロッド棒５の先端に第一の実施の形態のキャップ３ａが取り付けられた電気機器収納用箱１の斜視図である。なお、二つある扉部１１のうち片方の扉部１１が開いた状態を示している。また、図２は図１におけるＩＩ−ＩＩ断面を示した断面図である。図１に示すように、本実施の形態においては、電気機器収納用箱１を形成する筐体１２の扉部１１に金属製のロッド棒５が備えられている。このロッド棒５は扉部１１に備えられたリンク部１４につながっている。このリンク部１４は扉部１１の表側に備えられたハンドル１５を動かして回転軸１６を回すことでロッド棒５を移動させることができるよう構成されている。
【００１９】
ハンドル１５を動かすことで、ロッド棒５を上下方向に移動させ、正面視においてロッドが筐体１２の枠１７とオーバーラップするような状態となると、鎖錠可能となる。また、この状態が解除されることにより、解錠された状態となる。
【００２０】
図３は図１におけるキャップ３ａ周りを拡大した部分拡大図である。図３に示すように、ロッド棒５の先端にはキャップ３ａが取り付けられている。扉部１１にはロッド棒５を支えることが可能な支持部材７が備えられている。この支持部材７は、水平方向に延びる支持腕７１を備えている。支持腕７１にはロッド棒５を挿入可能な開口空間７３が形成されている。この開口空間７３は、先端にキャップ３ａが取り付けられたロッド棒５が挿通可能な大きさで構成されている。
【００２１】
本実施の形態の支持部材７は各扉部１１に各々二つ取り付けられている。図１や図２に示された事項から理解されるように、支持部材７はリンク部１４の上側と下側にそれぞれ配置されている。支持部材７はキャップ３ａを介してロッド棒５を支えることができるように配置されており、鎖錠及び解錠のいずれの状態においてもキャップ３ａが開口空間７３に挿入されている状態が維持されている。
【００２２】
図４はロッド棒５の先端に第一の実施の形態のキャップ３ａが取り付けられている状態を示した側面図である。図４に示されていることから理解されるように、ロッド棒５は屈曲した曲げ部５２を備えている。本実施の形態においては、図３及び図４に示されている事項から理解されるように、支持部材７が、曲げ部５２より先端側の部位を支えるように構成されている。このため、ロッド棒５の先端から曲げ部５２にかけてロッド棒５の外側に位置するようキャップ３ａが取り付けられている。本実施の形態のキャップ３ａは摺動性の良い樹脂を用いて作られ、筐体１２や支持部材７との間で生じる摩擦を抑制することが可能となっている。また、本実施の形態のキャップ３ａは、樹脂により成形された一つの部材として構成されている。このため部品点数を抑制することが可能となる。
【００２３】
図５は第一の実施の形態のキャップ３ａの斜視図である。図５に示されているように、本実施の形態のキャップ３ａは直線状に形成された直線部３１と、直線部３１の一端から角度を異ならせて形成される湾曲部３２を備えている。このような形態とすることにより、鎖錠状態では、直線部３１が筐体１２の枠１７と支持部材７の双方に当接可能となるように構成されている。
【００２４】
湾曲部３２は、曲げ部５２周りにおけるロッド棒５の形状に対応している。このため、湾曲部３２はロッド棒５の曲げ部５２に係合可能である。本実施の形態のキャップ３ａは概略筒状に形成されている。キャップ３ａの一端にはロッド棒５を挿入するために開口した挿入部３７が形成されている。また、湾曲部３２の側面には開口部３３が形成されている。この開口部３３の存在により、湾曲部３２を備えた構成であっても、キャップ３ａの湾曲部３２をロッド棒５に係合させることが容易となる。
【００２５】
開口部３３が形成されることにより、湾曲部３２には略半筒状となる半筒部３４が形成される。半筒部３４には開口部３３方向に突出した突出部３５が形成されている。この突出部３５は弾性変形可能である。このためキャップ３ａをロッド棒５に装着させる際には突出部３５が変形し、ロッド棒５の曲げ部５２を半筒部３４の内側面に係合させることが可能となる。装着完了時には、突出部３５は弾性力により上記変形状態からもとに戻る。このため、湾曲部３２がロッド棒５の周囲に絡みつくようになり、キャップ３ａがロッド棒５に固定される。
【００２６】
本明細書においては、キャップ３ａを固定した状態でロッド棒５を直線的に動かし直線部３１に挿入させた場合に、ロッド棒５のうちキャップ３ａの直線部３１内に収まる部位が通過する空間を挿入空間９１と呼ぶことにする。この挿入空間９１は挿入部３７の開口方向に形成されており、一側面から見ると図４における２本の破線の間を占める空間である。本実施の形態においては、湾曲部３２の開口部３３は挿入空間９１に設けられている。つまり、半筒部３４が挿入空間９１外に位置するように形成されている。このため、容易にキャップ３ａをロッド棒５に装着させることが可能となる。また、湾曲部３２に形成された突出部３５は、湾曲部３２の下端に形成されている。これにより挿入空間９１外に突出部３５が形成され、ロッド棒５を挿入部３７に挿入しやすい構成となっている。
【００２７】
本実施の形態のキャップ３ａの直線部３１は、一端が湾曲部３２とつながっており、他端は一方向に傾斜した傾斜部３６を備えている。傾斜部３６は鎖錠動作時に枠１７と当接することで、ロッド棒５を鎖錠位置まで案内する。したがって、広い範囲でロッド棒５を鎖錠位置まで案内することが可能となる。このため、ロッド棒５の先端を曲げて形成せずとも、ロッド棒５を鎖錠位置まで案内することが容易となる。
【００２８】
次に本実施の形態のキャップ３ａをロッド棒５に取り付ける手順を説明する。図６は第一の実施の形態のキャップ３ａをロッド棒５に取り付ける前の状態を側方から見た図である。図７は第一の実施の形態のキャップ３ａを直線的に動かすことでロッド棒５にかぶせた状態を側方から見た図である。先ず図６のように、直線状に形成されたロッド棒５の先端の長手方向と、キャップ３ａの長手方向とが同方向に向くように並列配置する。この後、図６に矢印で示した方向に、キャップ３ａをまっすぐ動かし、ロッド棒５にかぶせる。すると、図７に示した状態となる。次に図７に示した状態からキャップ３ａをロッド棒５に沿わせて９０度ほど回転させると図４に示した状態となり固定される。なお、直線的な動きでキャップ３ａをロッド棒５にかぶせることができるよう、開口部３３や突出部３５が形成されていることは先に記載したとおりである。
【００２９】
次に第二の実施の形態のキャップ３ｃについて説明する。図８は第二の実施の形態のキャップ３ｃをロッド棒５に装着する直前の状態を示した斜視図である。図９は第二の実施の形態のキャップ３ｃをロッド棒５に装着した状態を示した斜視図である。第二の実施の形態においても、第一の実施の形態と同様、直線部３１や湾曲部３２や傾斜部３６を備えた樹脂製のキャップ３ｃとしている。本実施の形態においては第一の実施の形態と異なり、半筒状の二つの部材を組み合わせて樹脂製のキャップ３ｃが形成されている。図８に示すように半筒状の部材の片方には爪部３８が形成されている。また、もう一方の部材には受け部３９が形成されている。双方の部材でロッド棒５の先端を挟み込み、爪部３８と受け部３９を係止状態とさせることで、キャップ３ｃがロッド棒５に装着された状態となる。
【００３０】
以上、二つの実施の形態について説明してきたが、本発明は上記実施の形態に限定されることはなく、各種の態様とすることが可能である。例えば、傾斜部を形成しないことも可能である。
【符号の説明】
【００３１】
１        電気機器収納用箱
３ａ      キャップ
３ｃ      キャップ
５        ロッド棒
７        支持部材
３１      直線部
３２      湾曲部
３３      開口部
３４      半筒部
３５      突出部
３６      傾斜部
３７      挿入部
９１      挿入空間
【図１】
0006594219.tif 000002
【図２】
0006594219.tif 000003
【図３】
0006594219.tif 000004
【図４】
0006594219.tif 000005
【図５】
0006594219.tif 000006
【図６】
0006594219.tif 000007
【図７】
0006594219.tif 000008
【図８】
0006594219.tif 000009
【図９】
0006594219.tif 000010